(57)【要約】【課題】運搬が容易でありバスケット本体の高さを容易に調整することができるランドリーバスケットを提供する。【解決手段】このランドリーバスケット１は、下部係止孔２１ａ、２１ｂ及び上部係止孔２２ａ、２２ｂが設けられた支柱管２ａ、２ｂと、支持体３と、下部に係止ピン４１ａ、４１ｂが設けられた上下移動管４ａ、４ｂと、上下移動管４ａ、４ｂの上部を連結し係止解除ボタン５１が設けられたハンドル５と、上下移動管ａ、４ｂに取り付けられた第１のバスケット本体６と、支柱管２ａ、２ｂに取り付けられた第２のバスケット本体７と、を備え、係止ピン４１ａ、４１ｂが下部係止孔２１ａ、２１ｂ又は上部係止孔２２ａ、２２ｂに係止することにより第１のバスケット本体６が第１の位置又は第２の位置に固定され、係止解除ボタン５１の押下により係止ピン４１ａ、４１ｂの下部係止孔２１ａ、２１ｂ又は上部係止孔２２ａ、２２ｂへの係止が解除され得る。【選択図】図６
2020025824.tif 000002
【特許請求の範囲】
【請求項１】
鉛直方向になるように設けられた少なくとも一対の支柱管と、
該少なくとも一対の支柱管の下部を支持する支持体と、
前記少なくとも一対の支柱管の内部を移動可能に設けられた少なくとも一対の上下移動管と、
前記少なくとも一対の上下移動管の対同士の上部を連結する少なくとも１個のハンドルと、
少なくとも１個のバスケット本体と、
を備え、
前記支柱管は、その下部に下部係止孔及びその上部に上部係止孔が設けられており、前記上下移動管は、その下部に係止ピンが設けられており、前記ハンドルは、係止解除ボタンが設けられており、前記少なくとも１個のバスケット本体は、そのうちの第１のバスケット本体が前記少なくとも一対の上下移動管に取り付けられており、
該係止ピンが前記下部係止孔に係止することにより前記第１のバスケット本体が第１の位置に固定され、かつ、前記係止ピンが前記上部係止孔に係止することにより前記第１のバスケット本体が前記第１の位置よりも高い第２の位置に固定され、前記係止解除ボタンの押下により前記係止ピンの前記下部係止孔又は前記上部係止孔への係止が解除され得ることを特徴とするランドリーバスケット。
【請求項２】
請求項１に記載のランドリーバスケットにおいて、
前記少なくとも１個のバスケット本体は、前記少なくとも一対の支柱管に取り付けられる第２のバスケット本体を更に有しており、
前記第１のバスケット本体は、前記第１の位置にあるとき、前記第２のバスケット本体の内部に入り込むことを特徴とするランドリーバスケット。
【請求項３】
請求項２に記載のランドリーバスケットにおいて、
前記第１のバスケット本体は、その底部が跳ね上げ可能であることを特徴とするランドリーバスケット。
【請求項４】
請求項１〜３のいずれか１項に記載のランドリーバスケットにおいて、
前記支持体は、折り曲げ可能であり、
前記第１のバスケット本体は、折り畳み可能であることを特徴とするランドリーバスケット。
【発明の詳細な説明】
【技術分野】
【０００１】
本発明は、ランドリーバスケットに関する。
【背景技術】
【０００２】
洗濯したての衣服を運搬するなどのためにランドリーバスケット（洗濯かご）が広く用いられている。ランドリーバスケットの中には、洗濯したての衣服を物干し竿などにかけるときに、衣服が入っているバスケット本体の位置を高くして膝や腰に負担をかけずに衣服を取り出せるようにしたものが知られている。
【０００３】
例えば、特許文献１には、バスケット本体の下部に折畳み可能な脚が設けられており、脚を起立状態にすることでバスケット本体の位置を高くすることができるランドリーバスケット（家庭用物入れ容器）が開示されている。また、特許文献２には、バスケット本体とそのバスケット本体を収納可能な枠体とからなり、普段はバスケット本体を枠体に収納し、バスケット本体の位置を高くしたいときには枠体を台としてその上にバスケット本体を乗せるようにするランドリーバスケットが開示されている。また、特許文献３には、サイズが異なる二個のバスケット本体（バスケット）を設け、普段は片方をもう片方の中に入れ込んで二重とし、バスケット本体の位置を高くしたいときには片方をもう片方の上に４５°回転して乗せるようにするランドリーバスケットが開示されている。
【先行技術文献】
【特許文献】
【０００４】
【特許文献１】特開平９−２５４９９３号公報
【特許文献２】登録実用新案第３００８６１５号公報
【特許文献３】登録実用新案第３１２０２２９号公報
【発明の概要】
【発明が解決しようとする課題】
【０００５】
しかしながら、特許文献１に開示されるような構造では、バスケット本体を持ち上げる動作と同時に、脚を折り畳み状態から起立状態に変化させる動作が必要である。特許文献２に開示されるような構造では、バスケット本体を扱う動作とは別に枠体を扱う動作（運搬など）が必要である。また、特許文献３に開示されるような構造では、運搬が容易ではなく、また、バスケット本体を持ち上げる動作とは別にバスケット本体を所定の角度に回転させる動作が必要である。このような動作は、洗濯がほぼ毎日続けて行われる日常的な作業であることを考えると、膝や腰への負担は小さいものと言えない。
【０００６】
本発明は、係る事由に鑑みてなされたものであり、その目的は、運搬が容易であり、かつ、バスケット本体の高さを容易に調整することができ、それにより膝や腰への負担を小さくすることができるランドリーバスケットを提供することにある。
【課題を解決するための手段】
【０００７】
上記目的を達成するために、請求項１に記載のランドリーバスケットは、鉛直方向になるように設けられた少なくとも一対の支柱管と、該少なくとも一対の支柱管の下部を支持する支持体と、前記少なくとも一対の支柱管の内部を移動可能に設けられた少なくとも一対の上下移動管と、前記少なくとも一対の上下移動管の対同士の上部を連結する少なくとも１個のハンドルと、少なくとも１個のバスケット本体と、を備え、前記支柱管は、その下部に下部係止孔及びその上部に上部係止孔が設けられており、前記上下移動管は、その下部に係止ピンが設けられており、前記ハンドルは、係止解除ボタンが設けられており、前記少なくとも１個のバスケット本体は、そのうちの第１のバスケット本体が前記少なくとも一対の上下移動管に取り付けられており、該係止ピンが前記下部係止孔に係止することにより前記第１のバスケット本体が第１の位置に固定され、かつ、前記係止ピンが前記上部係止孔に係止することにより前記第１のバスケット本体が前記第１の位置よりも高い第２の位置に固定され、前記係止解除ボタンの押下により前記係止ピンの前記下部係止孔又は前記上部係止孔への係止が解除され得ることを特徴とする。
【０００８】
請求項２に記載のランドリーバスケットは、請求項１に記載のランドリーバスケットにおいて、前記少なくとも１個のバスケット本体は、前記少なくとも一対の支柱管に取り付けられる第２のバスケット本体を更に有しており、前記第１のバスケット本体は、前記第１の位置にあるとき、前記第２のバスケット本体の内部に入り込むことを特徴とする。
【０００９】
請求項３に記載のランドリーバスケットは、請求項２に記載のランドリーバスケットにおいて、前記第１のバスケット本体は、その底部が跳ね上げ可能であることを特徴とする。
【００１０】
請求項４に記載のランドリーバスケットは、請求項１〜３のいずれか１項に記載のランドリーバスケットにおいて、前記支持体は、折り曲げ可能であり、前記第１のバスケット本体は、折り畳み可能であることを特徴とする。
【発明の効果】
【００１１】
本発明のランドリーバスケットによれば、運搬が容易であり、かつ、バスケット本体の高さを容易に調整することができ、それにより膝や腰への負担を小さくすることができる。 
【図面の簡単な説明】
【００１２】
【図１】本発明の実施形態に係るランドリーバスケットの斜視図であって、第１のバスケット本体が第１の位置に固定されたときの状態を示すものである。
【図２】同上のランドリーバスケットの斜視図であって、第１のバスケット本体が第２の位置に固定されたときの状態を示すものである。
【図３】同上のランドリーバスケットの斜視図であって、第１のバスケット本体が第２の位置に固定されたときに第１のバスケット本体の底部を跳ね上げたときの状態を示すものである。
【図４】同上のランドリーバスケットの斜視図であって、第１のバスケット本体が第１の位置に固定されたときに第１のバスケット本体の底部を跳ね上げたときの状態を示すものである。
【図５】同上のランドリーバスケットにおける蝶番の近傍を拡大して示す正面図であって、（ａ）が通常使用時の状態、（ｂ）が折り曲げ時の状態のものである。
【図６】同上のランドリーバスケットにおける一対の支柱管と一対の上下移動管とハンドルの構造を示す断面図であって、係止ピンが一対の支柱管の下部係止孔に係止した状態のものである。
【図７】同上のランドリーバスケットにおける上下移動管の係止ピン近傍の構造を示す斜視図であって、（ａ）は係止ピンが支柱管の下部係止孔又は上部係止孔に係止した状態、（ｂ）は係止ピンが支柱管の下部係止孔又は上部係止孔への係止が解除された状態のものである。
【図８】同上のランドリーバスケットにおいて第１のバスケット本体が第２のバスケット本体に入り込んだ状態を示す断面図であって、第１のバスケット本体の底部が跳ね上がっていない通常の状態のものである。
【図９】同上のランドリーバスケットにおいて第１のバスケット本体が第２のバスケット本体に入り込んだ状態を示す断面図であって、第１のバスケット本体の底部が跳ね上がった状態のものである。
【図１０】同上のランドリーバスケットの斜視図であって、省スペース保管の状態を示すものである。
【図１１】同上のランドリーバスケットにおいて第１のバスケット本体が第２のバスケット本体に入り込んだ状態を示す断面図であって、省スペース保管の状態を示すものである。
【図１２】本発明の実施形態に係る別のランドリーバスケットの斜視図であって、第１のバスケット本体が第１の位置に固定されたときの状態を示すものである。
【図１３】同上の別のランドリーバスケットの斜視図であって、第１のバスケット本体が第２の位置に固定されたときの状態を示すものである。
【図１４】同上の別のランドリーバスケットにおいて第１のバスケット本体が第２のバスケット本体に入り込んだ状態を示す断面図であって、第１のバスケット本体の底部が跳ね上がっていない通常の状態のものである。
【図１５】同上の別のランドリーバスケットにおいて第１のバスケット本体が第２のバスケット本体に入り込んだ状態を示す断面図であって、第１のバスケット本体の底部が跳ね上がった状態のものである。
【図１６】同上の別のランドリーバスケットの斜視図であって、省スペース保管の状態を示すものである。
【図１７】同上の別のランドリーバスケットにおいて第１のバスケット本体が第２のバスケット本体に入り込んだ状態を示す断面図であって、省スペース保管の状態を示すものである。
【発明を実施するための形態】
【００１３】
以下、本発明を実施するための形態を、図面を参照しながら説明する。本発明の実施形態に係るランドリーバスケット１は、図１〜図４に示すように、一対の支柱管２ａ、２ｂと、支持体３と、一対の上下移動管４ａ、４ｂと、ハンドル５と、第１のバスケット本体６と、第２のバスケット本体７と、を備える。なお、図１〜図４においては、斜視図の角度の関係上、支柱管２ｂが隠れているが、後述する図６においては支柱管２ｂが図示されている。
【００１４】
一対の支柱管２ａ、２ｂは、鉛直方向になるように設けられている。一対の支柱管２ａ、２ｂのそれぞれは、その下部に下部係止孔２１ａ、２１ｂ及びその上部に上部係止孔２２ａ、２２ｂが設けられている（後述する図６参照）。一対の支柱管２ａ、２ｂ（及び支持体３、一対の上下移動管４ａ、４ｂ、ハンドル５）は、特に限定されるものではないが、アルミニウム等の金属系材料やポリプロピレン等のプラスチック系材料などを用いることが可能である。
【００１５】
支持体３は、一対の支柱管２ａ、２ｂの下部を支持するものである。例えば、支持体３は、比較的広い占有面積を形成する環状支持部３１を有し、環状支持部３１の２箇所において一対の支柱管２ａ、２ｂのそれぞれに取り付けられるようにすることができる。環状支持部３１は、床面又は地面などに接する（詳細には、複数個のローラ３１１、３１１、・・・を介して接する）ことにより、安定して一対の支柱管２ａ、２ｂを支持することができる。また、環状支持部３１は、床面又は地面などの上をランドリーバスケット１が移動し易いように、複数個のローラ３１１、３１１、・・・を取り付けることできる。また、支持体３は、一対の支柱管２ａ、２ｂの下部を互いに接続する横架支持部３２を有することができる。横架支持部３２は、図１等に示すように、一対の支柱管２ａ、２ｂと一体成形されたものであってもよいし、それらと別部材であってもよい。
【００１６】
また、支持体３（詳細には、環状支持部３１）は、一対の支柱管２ａ、２ｂのそれぞれに取り付けられる上記の２箇所において、折り曲げ可能となっている。折り曲げ可能であるようにするには、蝶番３１２、３１２を用いることができる。例えば、蝶番３１２は、マグネット３１２ａ、３１２ａを設けることで、図５（ａ）に示すように、通常使用時にはそれらが吸着し合って環状支持部３１を水平位置に保ち、また、図５（ｂ）に示すように、それらが分離して環状支持部３１を折り曲げ可能とすることができる。
【００１７】
一対の上下移動管４ａ、４ｂは、一対の支柱管２ａ、２ｂの内部を移動可能に設けられたものである。一対の上下移動管４ａ、４ｂのそれぞれは、図６に示すように、その下部に係止ピン４１ａ、４１ｂが設けられている。係止ピン４１ａ、４１ｂは、一対の支柱管２ａ、２ｂの下部係止孔２１ａ、２１ｂに係止することが可能である。また、係止ピン４１ａ、４１ｂは、一対の支柱管２ａ、２ｂの上部係止孔２２ａ、２２ｂに係止することが可能である。
【００１８】
ハンドル５は、一対の上下移動管４ａ、４ｂの上部を連結するものである。ハンドル５は、係止解除ボタン５１が設けられている。一対の上下移動管４ａ、４ｂの係止ピン４１ａ、４１ｂが一対の支柱管２ａ、２ｂの下部係止孔２１ａ、２１ｂに係止しているとき、その係止の解除が係止解除ボタン５１の押下により可能である。また、一対の上下移動管４ａ、４ｂの係止ピン４１ａ、４１ｂが一対の支柱管２ａ、２ｂの上部係止孔２２ａ、２２ｂに係止しているとき、その係止の解除が係止解除ボタン５１の押下により可能である。
【００１９】
上記の係止と係止の解除を可能にする構造を、図６に基づいて以下説明する。係止解除ボタン５１には、ハンドル５のハンドル本体５０の内部において、ハンドル本体５０の長手方向、つまり水平方向に延伸する棒体５２が取り付けられており、棒体５２は複数個のバネ体５３、５３、・・・を介してハンドル本体５０に取り付けられている。棒体５２は、ハンドル５（ハンドル本体５０）の端部において、棒体接続具５４ａ、５４ｂに接続されており、棒体接続具５４ａ、５４ｂには鉛直方向に上下移動管４ａ、４ｂの内部を延伸する棒体４２ａ、４２ｂの上端部が更に接続されている。棒体４２ａ、４２ｂは、その下端部が係止制御具４３ａ、４３ｂに接続されている。
【００２０】
この構造により、係止解除ボタン５１が押下されると、棒体５２が下降して棒体４２ａ、４２ｂ及び係止制御具４３ａ、４３ｂが下降し、係止解除ボタン５１の押下を止めると、バネ体５３、５３、・・・の復元力により棒体５２及び係止解除ボタン５１が元の高さに戻り、棒体４２ａ、４２ｂ及び係止制御具４３ａ、４３ｂが元の高さに戻る。
【００２１】
係止ピン４１ａ、４１ｂは、図６及び図７（ａ）、（ｂ）に示すように、適正に水平方向にのみ移動するように、大径の基端部を有し、その基端部の外周面が上下移動管４ａ、４ｂの底板４４ａ、４４ｂ及び上下移動管４ａ、４ｂに固定された取付板４５ａ、４５ｂに接して又は近接している。また、係止ピン４１ａ、４１ｂの基端部の端面は、バネ体４６ａ、４６ｂを介して上下移動管４ａ、４ｂに取り付けられている。取付板４５ａ、４５ｂには、係止解除爪部４７ａ、４７ｂが揺動可能に取り付けられており、係止解除爪部４７ａ、４７ｂの上方に係止制御具４３ａ、４３ｂが配置されている。
【００２２】
係止解除ボタン５１が押下されて係止制御具４３ａ、４３ｂが下降すると、係止解除爪部４７ａ、４７ｂが係止制御具４３ａ、４３ｂに上方から押され、係止解除爪部４７ａ、４７ｂの爪先が係止ピン４１ａ、４１ｂの基端部を上下移動管４ａ、４ｂの内部に向かって（図６における係止ピン４１ａについては左方向、係止ピン４１ｂについては右方向に）押す。それにより、係止が解除される（図７（ｂ）参照）。
【００２３】
その一方、係止解除ボタン５１の押下が終わり係止制御具４３ａ、４３ｂが元の高さに戻ると、係止解除爪部４７ａ、４７ｂの爪先による係止ピン４１ａ、４１ｂの基端部を押す力がなくなり、バネ体４６ａ、４６ｂの復元力により係止ピン４１ａ、４１ｂが上下移動管４ａ、４ｂの外部に向かって（図６における係止ピン４１ａについては右方向、係止ピン４１ｂについては左方向に）移動しようとする。そのとき、係止ピン４１ａ、４１ｂの位置が下部係止孔２１ａ、２１ｂの位置に一致していれば、係止ピン４１ａ、４１ｂは図６に示すように下部係止孔２１ａ、２１ｂに係止し、係止ピン４１ａ、４１ｂの位置が上部係止孔２２ａ、２２ｂの位置に一致していれば、係止ピン４１ａ、４１ｂは上部係止孔２２ａ、２２ｂに係止することになる（図７（ａ）参照）。その一方、係止ピン４１ａ、４１ｂの位置が下部係止孔２１ａ、２１ｂの位置にも上部係止孔２２ａ、２２ｂの位置にも一致していなければ、係止解除の状態が維持されて上下移動管４ａ、４ｂは上下移動が可能な状態となる。
【００２４】
次に、第１のバスケット本体６と第２のバスケット本体７について説明する。
【００２５】
第１のバスケット本体６は、一対の上下移動管４ａ、４ｂに取り付けられている。従って、一対の上下移動管４ａ、４ｂの係止ピン４１ａ、４１ｂが一対の支柱管２ａ、２ｂの下部係止孔２１ａ、２１ｂに係止することにより第１のバスケット本体６が低い位置（第１の位置）に固定される。また、一対の上下移動管４ａ、４ｂの係止ピン４１ａ、４１ｂが一対の支柱管２ａ、２ｂの上部係止孔２２ａ、２２ｂに係止することにより第１のバスケット本体６が高い位置（第２の位置）に固定される。上記のように係止解除ボタン５１の押下により係止ピン４１ａ、４１ｂの下部係止孔２１ａ、２１ｂ又は上部係止孔２２ａ、２２ｂへの係止が解除される。係止ピン４１ａ、４１ｂの下部係止孔２１ａ、２１ｂへの係止が解除されると、一対の上下移動管４ａ、４ｂは第１のバスケット本体６とともに引き上げられ得、係止ピン４１ａ、４１ｂの上部係止孔２２ａ、２２ｂへの係止が解除されると、一対の上下移動管４ａ、４ｂは第１のバスケット本体６とともに引き下げられ得る。
【００２６】
第１のバスケット本体６（及び第２のバスケット本体７）は、特に限定されるものではないが、コットン、キャンバス 、不織布、ポリエステル、デニム、リネン、ナイロン、ジュート、フェルト等の布材料やシリコーン、ポリプロピレン等のプラスチック系材料などを用いることが可能である。
【００２７】
第１のバスケット本体６は、２個の取付部６０、６０により一対の上下移動管４ａ、４ｂに取り付けることができる。また、第１のバスケット本体６は、その側部６１に複数個の孔部６１１、６１１を設けることができる。孔部６１１、６１１は、把持用として、第１のバスケット本体６の中身が重いときなどに用いられる。
【００２８】
第１のバスケット本体６は、その底部６２が跳ね上げ可能になっている。そうすると、図８に示すように底部６２を通常状態にしたり、図９及び図１１に示すように底部６２を跳ね上げ状態にしたりすることができる。そのために、図８等に示すように、底部６２を金具６２１により側部６１に揺動可能に取り付けることができる。底部６２を跳ね上げ易くするために、輪状の紐体６２２を底部６２に設けることも可能である（図８、図３等参照）。
【００２９】
第１のバスケット本体６は、折り畳み可能になっている。そのために、他の部分よりも薄肉にするなどして折り目６３を形成することができ、また、第１のバスケット本体６が硬い材料のときは、蝶番を用いることも可能である。
【００３０】
第２のバスケット本体７は、一対の支柱管２ａ、２ｂに取り付けられる。従って、第２のバスケット本体７の位置は、一対の上下移動管４ａ、４ｂの動作に依存しない。
【００３１】
第２のバスケット本体７は、第１のバスケット本体６が第１の位置にあるとき、その内部に入り込むことができるような形状である（図１、図８等参照）。具体的には、第２のバスケット本体７は、上部開口部が第１のバスケット本体６の底面よりも広がっている。このようにすると、第１のバスケット本体６を比較的深いものとすることが可能になる。
【００３２】
第２のバスケット本体７は、２本の取付紐７０、７０により一対の支柱管２ａ、２ｂに取り付けることができる。取付紐７０は、支柱管２ａ又は２ｂに設けたフック部（図示せず）に引っ掛けるようにする。また、第２のバスケット本体７は、その側部７１の所定箇所に複数個の孔部７１１、７１１、・・・を設けることができる。孔部７１１、７１１、・・・は、２個の取付紐７０、７０を通して側部７１に結合させるものである。取付紐７０を上記のフック部から外すことで、後述するような以前に洗濯して乾いた衣服の取り込みがない場合など、容易に第２のバスケット本体７を取り外すことができる。
【００３３】
第２のバスケット本体７は、その底部７２が跳ね上げ可能になっている。そうすると、図８及び図９に示すように底部７２を通常状態にしたり、図１１に示すように底部７２を跳ね上げ状態にしたりすることができる。そのために、図８等に示すように、底部７２を金具７２１により側部７１に揺動可能に取り付けることができる。底部７２を跳ね上げ易くするために、輪状の紐体７２２を底部７２に設けることも可能である（図８等参照）。
【００３４】
第２のバスケット本体７は、折り畳み可能になっている。そのために、他の部分よりも薄肉にするなどして折り目７３を形成することができ、また、第２のバスケット本体７が硬い材料のときは、蝶番を用いることも可能である。
【００３５】
以上説明した構成のランドリーバスケット１は以下のようにして使用することができる。すなわち、洗濯したての衣服は、図１に示すように、第１のバスケット本体６を低い位置（第１の位置）にしておいて、第１のバスケット本体６に投入することができる。この場合、第２のバスケット本体７は第１のバスケット本体６に重なっているので使用されない。なお、支持体３は、折り曲げない通常状態にしておく。また、第１のバスケット本体６の底部６２は、跳ね上げられていない通常状態にしておく。また、第１のバスケット本体６と第２のバスケット本体７は、折り畳まず広げた通常状態にしておく。
【００３６】
それから、ハンドル５等を把持して、ランドリーバスケット１を干し場に運搬する。そして、ハンドル５の係止解除ボタン５１を押下して係止ピン４１ａ、４１ｂの下部係止孔２１ａ、２１ｂへの係止を解除し、一対の上下移動管４ａ、４ｂを第１のバスケット本体６とともに引き上げ、係止ピン４１ａ、４１ｂを上部係止孔２２ａ、２２ｂに係止して、図２に示すように、第１のバスケット本体６を高い位置（第２の位置）に固定する。
【００３７】
このとき、第２のバスケット本体７は、第１のバスケット本体６に重なっていないので、物干し竿などに以前に洗濯して乾いた衣服が残っている場合、その衣服を取り込んで投入可能である。
【００３８】
そして、第１のバスケット本体６の中の洗濯したての衣服を物干し竿などにかける。洗濯したての衣服を物干し竿などにかけるのが終わると、図３に示すように、第１のバスケット本体６の底部６２を跳ね上げて開放する。それから、係止解除ボタン５１を押下して係止ピン４１ａ、４１ｂの上部係止孔２２ａ、２２ｂへの係止を解除し、一対の上下移動管４ａ、４ｂを第１のバスケット本体６とともに引き下げ、係止ピン４１ａ、４１ｂを下部係止孔２１ａ、２１ｂに係止して、図４に示すように、第１のバスケット本体６を低い位置（第１の位置）に固定する。
【００３９】
第１のバスケット本体６を低い位置（第１の位置）に固定した後は、ハンドル５等を把持して、ランドリーバスケット１を運搬し、第２のバスケット本体７から、乾いた衣服を第１のバスケット本体６を通して取り上げて整理したり収納したりする。
【００４０】
このようにして、ランドリーバスケット１は、運搬が容易であり、また、ハンドル５を把持したままの一連の単純動作により第１のバスケット本体６の高さを容易に調整（上げたり下げたり）することができ、それにより、安全であり、膝や腰への負担を小さくすることができる。
【００４１】
また、ランドリーバスケット１は、以前に洗濯して乾いた衣服を第２のバスケット本体７に取り込んでから、それらの衣服に代えて第１のバスケット本体６の中の洗濯したての衣服を物干し竿などにかけることができ、それから、第１のバスケット本体６の底部６２を跳ね上げることにより、乾いた衣服を運搬して取り上げることができるので、以前に洗濯して乾いた衣服の処理についての手間を省くことができる。
【００４２】
また、ランドリーバスケット１は、上述したように、支持体３が折り曲げ可能であり、かつ、第１のバスケット本体６と第２のバスケット本体７が折り畳み可能であるので、図１０及び図１１に示すように、省スペース保管が可能である。
【００４３】
以上説明したランドリーバスケット１は、様々な変形が可能である。例えば、省スペース保管可能としないこともできる。その場合、支持体３を折り曲げ可能にしなくてもよく、第１のバスケット本体６と第２のバスケット本体７を折り畳み可能にしなくてもよい。更には、第２のバスケット本体７の底部７２を、跳ね上げ可能にしなくてもよい。
【００４４】
また、以前に洗濯して乾いた衣服の処理についての手間は増大するが、第１のバスケット本体６の底部６２を跳ね上げ可能としないようにもできる。この場合、以前に洗濯して乾いた衣服は、第１のバスケット本体６の中の洗濯したての衣服を物干し竿などにかける前に仮に第２のバスケット本体７に取り込んでおいて、第１のバスケット本体６の中の洗濯したての衣服を物干し竿などにかけ終わってから第１のバスケット本体６に投入し直すようにすることができる。
【００４５】
また、場合によっては、第２のバスケット本体７を省略することも可能である。この場合、以前に洗濯して乾いた衣服は、作業は煩雑になるが、第１のバスケット本体６の中の洗濯したての衣服を物干し竿などにかける前に仮に他の場所に取り込んでおいて、第１のバスケット本体６の中の洗濯したての衣服を物干し竿などにかけ終わってから第１のバスケット本体６に取り込み直すようにすることができる。
【００４６】
次に、本発明の実施形態に係る別のランドリーバスケット１’について説明する。ランドリーバスケット１’は、図１２及び図１３に示すように、二対の支柱管２Ａａ、２Ａｂ及び２Ｂａ、２Ｂｂと、支持体３’と、二対の上下移動管４Ａａ、４Ａｂ及び４Ｂａ、４Ｂｂと、２個のハンドル５Ａ、５Ｂと、第１のバスケット本体６’と、第２のバスケット本体７’と、を備える。なお、図１２及び図１３においては、斜視図の角度の関係上、支柱管２Ｂａが隠れている。
【００４７】
二対の支柱管２Ａａ、２Ａｂ及び２Ｂａ、２Ｂｂは、鉛直方向になるように設けられている。二対の支柱管２Ａａ、２Ａｂ及び２Ｂａ、２Ｂｂのうちの一対の支柱管２Ａａ、２Ａｂは、上記のランドリーバスケット１の一対の支柱管２ａ、２ｂと同様に、その下部に下部係止孔２１ａ、２１ｂ及びその上部に上部係止孔２２ａ、２２ｂが設けられている（図６参照）。同様に、二対の支柱管２Ａａ、２Ａｂ及び２Ｂａ、２Ｂｂのうちの一対の支柱管２Ｂａ、２Ｂｂは、その下部に下部係止孔２１ａ、２１ｂ及びその上部に上部係止孔２２ａ、２２ｂが設けられている。
【００４８】
二対の支柱管２Ａａ、２Ａｂ及び２Ｂａ、２Ｂｂは、床面又は地面などの上をランドリーバスケット１が移動し易いように、それぞれの下端部にローラ２３Ａａ、２３Ａｂ及び２３Ｂａ、２３Ｂｂを取り付けることできる。また、二対の支柱管２Ａａ、２Ａｂ及び２Ｂａ、２Ｂｂ（及び支持体３’、二対の上下移動管４Ａａ、４Ａｂ及び４Ｂａ、４Ｂｂ、２個のハンドル５Ａ、５Ｂ）は、上記のランドリーバスケット１の一対の支柱管２ａ、２ｂ（（及び支持体３、一対の上下移動管４ａ、４ｂ、ハンドル５）と同様の材料を用いることができる。
【００４９】
支持体３’は、二対の支柱管２Ａａ、２Ａｂ及び２Ｂａ、２Ｂｂの下部を支持するものである。例えば、支持体３’は、２個の支持部３１ａ、３１ｂを有しており、支持部３１ａ、３１ｂのそれぞれの一方の端部が二対の支柱管２Ａａ、２Ａｂ及び２Ｂａ、２Ｂｂのうちの一対の支柱管２Ａａ、２Ａｂのそれぞれに取り付けられ、支持部３１ａ、３１ｂのそれぞれの他方の端部が二対の支柱管２Ａａ、２Ａｂ及び２Ｂａ、２Ｂｂのうちのもう一対の支柱管２Ｂａ、２Ｂｂのそれぞれに取り付けられるようにすることができる。支持部３１ａ、３１ｂは、一対の支柱管２Ａａ、２Ａｂともう一対の支柱管２Ｂａ、２Ｂｂとを接続することにより、安定して二対の支柱管２Ａａ、２Ａｂ、２Ｂａ、２Ｂｂを支持することができる。
【００５０】
また、支持体３’（詳細には、支持部３１ａ、３１ｂ）は、中央部が折り曲げ可能となっている。折り曲げ可能であるようにするには、蝶番３１２’、３１２’を用いることができる。
【００５１】
二対の上下移動管４Ａａ、４Ａｂ及び４Ｂａ、４Ｂｂは、二対の支柱管２Ａａ、２Ａｂ及び２Ｂａ、２Ｂｂの内部を移動可能に設けられたものである。二対の上下移動管４Ａａ、４Ａｂ及び４Ｂａ、４Ｂｂのうちの一対の上下移動管４Ａａ、４Ａｂは、上記のランドリーバスケット１の一対の上下移動管４ａ、４ｂと同様に、その下部に係止ピン４１ａ、４１ｂが設けられている（図６参照）。同様に、二対の上下移動管４Ａａ、４Ａｂ及び４Ｂａ、４Ｂｂのうちの一対の上下移動管４Ｂａ、４Ｂｂは、その下部に係止ピン４１ａ、４１ｂが設けられている。係止ピン４１ａ、４１ｂと下部係止孔２１ａ、２１ｂ及び上部係止孔２２ａ、２２ｂの関係は、ランドリーバスケット１の場合と同様である。
【００５２】
２個のハンドル５Ａ、５Ｂは、二対の上下移動管４Ａａ、４Ａｂ及び４Ｂａ、４Ｂｂの対同士４Ａａ、４Ａｂ又は４Ｂａ、４Ｂｂの上部を連結するものである。ハンドル５Ａ、５Ｂは、係止解除ボタン５１Ａ、５１Ｂが設けられている。二対の上下移動管４Ａａ、４Ａｂ及び４Ｂａ、４Ｂｂのうちの一対の上下移動管４Ａａ、４Ａｂの係止ピン４１ａ、４１ｂが二対の支柱管２Ａａ、２Ａｂ及び２Ｂａ、２Ｂｂのうちの一対の支柱管２Ａａ、２Ａｂの下部係止孔２１ａ、２１ｂ又は上部係止孔２２ａ、２２ｂに係止しているとき、その係止の解除が係止解除ボタン５１Ａの押下により可能である。また、二対の上下移動管４Ａａ、４Ａｂ及び４Ｂａ、４Ｂｂのうちのもう一対の上下移動管４Ｂａ、４Ｂｂの係止ピン４１ａ、４１ｂが二対の支柱管２Ａａ、２Ａｂ及び２Ｂａ、２Ｂｂのうちのもう一対の支柱管２Ｂａ、２Ｂｂの下部係止孔２１ａ、２１ｂ又は上部係止孔２２ａ、２２ｂに係止しているとき、その係止の解除が係止解除ボタン５１Ｂの押下により可能である。
【００５３】
第１のバスケット本体６’は、二対の上下移動管４Ａａ、４Ａｂ及び４Ｂａ、４Ｂｂに取り付けられている。従って、二対の上下移動管４Ａａ、４Ａｂ及び４Ｂａ、４Ｂｂの係止ピン４１ａ、４１ｂが二対の支柱管２Ａａ、２Ａｂ及び２Ｂａ、２Ｂｂの下部係止孔２１ａ、２１ｂに係止することにより第１のバスケット本体６’が低い位置（第１の位置）に固定される。また、二対の上下移動管４Ａａ、４Ａｂ及び４Ｂａ、４Ｂｂの係止ピン４１ａ、４１ｂが二対の支柱管２Ａａ、２Ａｂ及び２Ｂａ、２Ｂｂの上部係止孔２２ａ、２２ｂに係止することにより第１のバスケット本体６’が高い位置（第２の位置）に固定される。上記のように係止解除ボタン５１Ａ、５１Ｂの押下により係止ピン４１ａ、４１ｂの下部係止孔２１ａ、２１ｂ又は上部係止孔２２ａ、２２ｂへの係止が解除される。係止ピン４１ａ、４１ｂの下部係止孔２１ａ、２１ｂへの係止が解除されると、二対の上下移動管４Ａａ、４Ａｂ及び４Ｂａ、４Ｂｂは第１のバスケット本体６’とともに引き上げられ得、係止ピン４１ａ、４１ｂの上部係止孔２２ａ、２２ｂへの係止が解除されると、二対の上下移動管４Ａａ、４Ａｂ及び４Ｂａ、４Ｂｂは第１のバスケット本体６’とともに引き下げられ得る。
【００５４】
第１のバスケット本体６’（及び第２のバスケット本体７’）は、上記の第１のバスケット本体６（及び第２のバスケット本体７）と同様の材料を用いることができる。
【００５５】
第１のバスケット本体６’は、４個の取付部６０’、６０’、・・・により二対の上下移動管４Ａａ、４Ａｂ及び４Ｂａ、４Ｂｂに取り付けることができる。また、第１のバスケット本体６’は、２個の持ち手６４’、６４’を設けることができる。２個の持ち手６４’、６４’は、片手で一緒に把持して、後述するように運搬することができる。また、第１のバスケット本体６’は、その側部６１’に複数個の孔部６１１’、６１１’を設けることができる。孔部６１１’、６１１’は、把持用として、第１のバスケット本体６’ の中身が重いときなどに用いられる。
【００５６】
第１のバスケット本体６’は、上記の第１のバスケット本体６と同様に、その底部６２’が跳ね上げ可能になっている。そうすると、図１４に示すように底部６２’を通常状態にしたり、図１５及び図１７に示すように底部６２を跳ね上げ状態にしたりすることができる。そのために、図１４等に示すように、底部６２’を金具６２１’により側部６１’に揺動可能に取り付けることができる。底部６２’を跳ね上げ易くするために、輪状の紐体６２２’を底部６２’に設けることも可能である（図１４等参照）。
【００５７】
第１のバスケット本体６’は、折り畳み可能になっている。そのために、他の部分よりも薄肉にするなどして折り目６３’を形成することができ、また、第１のバスケット本体６’が硬い材料のときは、蝶番を用いることも可能である。
【００５８】
第２のバスケット本体７’は、二対の支柱管２Ａａ、２Ａｂ及び２Ｂａ、２Ｂｂに取り付けられる。従って、第２のバスケット本体７’の位置は、二対の上下移動管４Ａａ、４Ａｂ、４Ｂａ、４Ｂｂの動作に依存しない。
【００５９】
第２のバスケット本体７’は、第１のバスケット本体６’が第１の位置にあるとき、その内部に入り込むことができるような形状である（図１２、図１４等参照）。具体的には、第２のバスケット本体７’は、上部開口部が第１のバスケット本体６’の底面よりも広がっている。このようにすると、第１のバスケット本体６を比較的深いものとすることが可能になる。
【００６０】
第２のバスケット本体７’は、４個の取付部７０’、７０’、・・・により二対の支柱管２Ａａ、２Ａｂ及び２Ｂａ、２Ｂｂに取り付けることができる。取付部７０’は、支柱管２Ａａ等に設けたフック部に引っ掛けるようにする。取付部７０’を上記のフック部から外すことで、後述するような以前に洗濯して乾いた衣服の取り込みがない場合など、容易に第２のバスケット本体７’を取り外すことができる。
【００６１】
第２のバスケット本体７’は、上記の第２のバスケット本体７と同様に、その底部７２’が跳ね上げ可能になっている。そうすると、図１４及び図１５に示すように底部７２’を通常状態にしたり、図１７に示すように底部７２’を跳ね上げ状態にしたりすることができる。そのために、図１４等に示すように、底部７２’を金具７２１’により側部７１’に揺動可能に取り付けることができる。底部７２’を跳ね上げ易くするために、輪状の紐体７２２’を底部７２’に設けることも可能である（図１４等参照）。
【００６２】
第２のバスケット本体７’は、折り畳み可能になっている。そのために、他の部分よりも薄肉にするなどして折り目７３’を形成することができ、また、第２のバスケット本体７’が硬い材料のときは、蝶番を用いることも可能である。
【００６３】
以上説明した構成のランドリーバスケット１’は以下のようにして使用することができる。すなわち、洗濯したての衣服は、図１２に示すように、第１のバスケット本体６’を低い位置（第１の位置）にしておいて、第１のバスケット本体６’に投入することができる。この場合、第２のバスケット本体７’は第１のバスケット本体６’に重なっているので使用されない。なお、支持体３’は、折り曲げない通常状態にしておく。また、第１のバスケット本体６’の底部６２’は、跳ね上げられていない通常状態にしておく。また、第１のバスケット本体６’と第２のバスケット本体７’は、折り畳まず広げた通常状態にしておく。
【００６４】
それから、２個のハンドル５Ａ、５Ｂ、又はそのうちのいずれか、又は持ち手６４’、６４’を把持して、ランドリーバスケット１’を干し場に運搬する。そして、ハンドル５Ａ、５Ｂの係止解除ボタン５１Ａ、５１Ｂを押下して二対の上下移動管４Ａａ、４Ａｂ及び４Ｂａ、４Ｂ全ての係止ピン４１ａ、４１ｂにおいて二対の支柱管２Ａａ、２Ａｂ及び２Ｂａ、２Ｂｂの全ての下部係止孔２１ａ、２１ｂへの係止を解除し、二対の上下移動管４Ａａ、４Ａｂ及び４Ｂａ、４Ｂｂを第１のバスケット本体６’とともに引き上げ、二対の上下移動管４Ａａ、４Ａｂ及び４Ｂａ、４Ｂ全ての係止ピン４１ａ、４１ｂにおいて二対の支柱管２Ａａ、２Ａｂ及び２Ｂａ、２Ｂｂの全ての上部係止孔２２ａ、２２ｂに係止して、図１３に示すように、第１のバスケット本体６’を高い位置（第２の位置）に固定する。
【００６５】
このとき、第２のバスケット本体７’は、第１のバスケット本体６’に重なっていないので、物干し竿などに以前に洗濯して乾いた衣服が残っている場合、その衣服を取り込んで投入可能である。
【００６６】
そして、第１のバスケット本体６’の中の洗濯したての衣服を物干し竿などにかける。洗濯したての衣服を物干し竿などにかけるのが終わると、第１のバスケット本体６’の底部６２’を跳ね上げて開放する。それから、係止解除ボタン５１Ａ、５１Ｂを押下して係止ピン４１ａ、４１ｂの上部係止孔２２ａ、２２ｂへの係止を解除し、一対の上下移動管４ａ、４ｂを第１のバスケット本体６’とともに引き下げ、係止ピン４１ａ、４１ｂを下部係止孔２１ａ、２１ｂに係止して、第１のバスケット本体６’を低い位置（第１の位置）に固定する。
【００６７】
第１のバスケット本体６’を低い位置（第１の位置）に固定した後は、ハンドル５Ａ、５Ｂ等を把持して、ランドリーバスケット１’を運搬し、第２のバスケット本体７’から、乾いた衣服を、第１のバスケット本体６’を通して取り上げて整理したり収納したりする。
【００６８】
このようにして、ランドリーバスケット１’は、運搬が容易であり、また、ハンドル５Ａ、５Ｂを把持したままの一連の単純動作により第１のバスケット本体６’の高さを容易に調整（上げたり下げたり）することができ、それにより、安全であり、膝や腰への負担を小さくすることができる。
【００６９】
また、ランドリーバスケット１’は、以前に洗濯して乾いた衣服を第２のバスケット本体７’に取り込んでから、それらの衣服に代えて第１のバスケット本体６’の中の洗濯したての衣服を物干し竿などにかけることができ、それから、第１のバスケット本体６’の底部６２’を跳ね上げることにより、乾いた衣服を運搬して取り上げることができるので、以前に洗濯して乾いた衣服の処理についての手間を省くことができる。
【００７０】
また、ランドリーバスケット１’は、上述したように、支持体３’が折り曲げ可能であり、かつ、第１のバスケット本体６’と第２のバスケット本体７’が折り畳み可能であるので、図１６及び図１７に示すように、省スペース保管が可能である。
【００７１】
以上説明したランドリーバスケット１’は、上記のランドリーバスケット１と同様に、省スペース保管可能としないようにしたり、第１のバスケット本体６’の底部６２’を跳ね上げ可能としないようにしたり、第２のバスケット本体７’を省略したりするなど様々な変形が可能である。
【００７２】
以上、本発明の実施形態に係るランドリーバスケットについて説明したが、本発明は、実施形態に記載したものに限られることなく、特許請求の範囲に記載した事項の範囲内でのさまざまな設計変更が可能である。例えば、上下移動管の段数を増やして３個以上のバスケット本体を装着することも可能である。
【符号の説明】
【００７３】
１、１’  ランドリーバスケット
２ａ、２ｂ、２Ａａ、２Ａｂ、２Ｂａ、２Ｂｂ  支柱管
２１ａ、２１ｂ  下部係止孔
２２ａ、２２ｂ  上部係止孔
２３Ａａ、２３Ａｂ、２３Ｂａ、２３Ｂｂ  ローラ  
３、３’  支持体
３１  環状支持部
３１１  ローラ
３１２、３１２’  蝶番
３１２ａ  蝶番のマグネット
３１ａ、３１ｂ  支持部
３２  横架支持部
４ａ、４ｂ、４Ａａ、４Ａｂ、４Ｂａ、４Ｂｂ  上下移動管
４１ａ、４１ｂ  係止ピン
４２ａ、４２ｂ  棒体
４３ａ、４３ｂ  係止制御具
４４ａ、４４ｂ  底板
４５ａ、４５ｂ  取付板
４６ａ、４６ｂ  バネ体
４７ａ、４７ｂ  係止解除爪部
５、５Ａ、５Ｂ    ハンドル
５０  ハンドル本体
５１、５１Ａ、５１Ｂ  係止解除ボタン
５２  棒体
５３  バネ体
５４ａ、５４ｂ  棒体接続具
６、６’  第１のバスケット本体
６０、６０’  第１のバスケット本体の取付部
６１、６１’  第１のバスケット本体の側部
６１１、６１１’  第１のバスケット本体の孔部
６２、６２’  第１のバスケット本体の底部
６２１、６２１’  第１のバスケット本体の底部の跳ね上げ用の金具
６２２、６２２’  第１のバスケット本体の底部の跳ね上げ用の紐体
６３、６３’  第１のバスケット本体の折り畳み用の折り目
６４’  第１のバスケット本体の持ち手
７、７’  第２のバスケット本体
７０  第２のバスケット本体の支柱管への取付紐
７０’  第２のバスケット本体の支柱管への取付部
７１、７１’  第２のバスケット本体の側部
７１１  第２のバスケット本体の孔部
７２、７２’  第２のバスケット本体の底部
７２１、７２１’  第２のバスケット本体の底部の金具
７２２、７２２’  第２のバスケット本体の底部の紐体
７３、７３’  第２のバスケット本体の折り畳み用の折り目
【図１】
2020025824.tif 000003
【図２】
2020025824.tif 000004
【図３】
2020025824.tif 000005
【図４】
2020025824.tif 000006
【図５】
2020025824.tif 000007
【図６】
2020025824.tif 000008
【図７】
2020025824.tif 000009
【図８】
2020025824.tif 000010
【図９】
2020025824.tif 000011
【図１０】
2020025824.tif 000012
【図１１】
2020025824.tif 000013
【図１２】
2020025824.tif 000014
【図１３】
2020025824.tif 000015
【図１４】
2020025824.tif 000016
【図１５】
2020025824.tif 000017
【図１６】
2020025824.tif 000018
【図１７】
2020025824.tif 000019
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
鉛直方向になるように設けられた一対の支柱管と、
該一対の支柱管の下部を支持する支持体と、
前記一対の支柱管の内部を移動可能に設けられた一対の上下移動管と、
前記一対の上下移動管の上部を連結する１個のハンドルと、
１個のみの係止解除ボタンと、
少なくとも１個のバスケット本体と、
を備え、
前記一対の支柱管の各々は、その下部に下部係止孔及びその上部に上部係止孔が設けられており、前記一対の上下移動管の各々は、その下部に係止ピンが設けられており、前記１個のハンドルは、前記係止解除ボタンが設けられ、かつ、該係止解除ボタンに取り付けられて水平方向に延伸する棒体が該ハンドルの内部に設けられており、前記少なくとも１個のバスケット本体は、そのうちの第１のバスケット本体が前記一対の上下移動管に取り付けられており、
前記一対の上下移動管の各々の前記係止ピンが前記一対の支柱管の各々の前記下部係止孔に係止することにより前記第１のバスケット本体が第１の位置に固定され、かつ、前記一対の上下移動管の各々の前記係止ピンが前記一対の支柱管の各々の前記上部係止孔に係止することにより前記第１のバスケット本体が前記第１の位置よりも高い第２の位置に固定され、前記係止解除ボタンの押下により前記棒体が下降して前記一対の上下移動管の各々の前記係止ピンの前記一対の支柱管の各々の前記下部係止孔又は前記上部係止孔への係止が解除され得ることを特徴とするランドリーバスケット。
【請求項２】
請求項１に記載のランドリーバスケットにおいて、
前記少なくとも１個のバスケット本体は、前記少なくとも一対の支柱管に取り付けられる第２のバスケット本体を更に有しており、
前記第１のバスケット本体は、前記第１の位置にあるとき、前記第２のバスケット本体の内部に入り込むことを特徴とするランドリーバスケット。
【請求項３】
請求項２に記載のランドリーバスケットにおいて、
前記第１のバスケット本体は、その底部が跳ね上げ可能であることを特徴とするランドリーバスケット。
【請求項４】
請求項１〜３のいずれか１項に記載のランドリーバスケットにおいて、
前記支持体は、折り曲げ可能であり、
前記第１のバスケット本体は、折り畳み可能であることを特徴とするランドリーバスケット。
【手続補正２】
【補正対象書類名】明細書
【補正対象項目名】０００７
【補正方法】変更
【補正の内容】
【０００７】
上記目的を達成するために、請求項１に記載のランドリーバスケットは、鉛直方向になるように設けられた一対の支柱管と、該一対の支柱管の下部を支持する支持体と、前記一対の支柱管の内部を移動可能に設けられた一対の上下移動管と、前記一対の上下移動管の上部を連結する１個のハンドルと、１個のみの係止解除ボタンと、少なくとも１個のバスケット本体と、を備え、前記一対の支柱管の各々は、その下部に下部係止孔及びその上部に上部係止孔が設けられており、前記一対の上下移動管の各々は、その下部に係止ピンが設けられており、前記１個のハンドルは、前記係止解除ボタンが設けられ、かつ、該係止解除ボタンに取り付けられて水平方向に延伸する棒体が該ハンドルの内部に設けられており、前記少なくとも１個のバスケット本体は、そのうちの第１のバスケット本体が前記一対の上下移動管に取り付けられており、前記一対の上下移動管の各々の前記係止ピンが前記一対の支柱管の各々の前記下部係止孔に係止することにより前記第１のバスケット本体が第１の位置に固定され、かつ、前記一対の上下移動管の各々の前記係止ピンが前記一対の支柱管の各々の前記上部係止孔に係止することにより前記第１のバスケット本体が前記第１の位置よりも高い第２の位置に固定され、前記係止解除ボタンの押下により前記棒体が下降して前記一対の上下移動管の各々の前記係止ピンの前記一対の支柱管の各々の前記下部係止孔又は前記上部係止孔への係止が解除され得ることを特徴とする。